(57)【要約】【課題】負荷制御システムにおいて、１つのリモコンで照明器具と壁スイッチの両方を制御することができる。【解決手段】負荷制御システム１は、照明器具２と、照明器具２のオン／オフ状態を制御するリモコン３と、照明器具２の給電を制御する壁スイッチ４とを備える。リモコン３は、照明器具２のオン／オフ状態に係る制御信号を送信するための赤外線送信部３２と、照明器具２の給電に係る制御信号を送信するための電波送信部３３とを有する。照明器具２は、制御信号を受信するための赤外線受信部２２を有する。壁スイッチ４は、制御信号を受信するための電波受信部４２を有する。負荷制御システム１は、リモコン３から送信される電波で壁スイッチ４を制御し、赤外線で照明器具２を制御するので、ユーザが壁スイッチ４の設置された場所まで移動することなく、１つのリモコン３で照明器具２と壁スイッチ４の両方を制御することができる。【選択図】図１
2011009032.tif 000002
【特許請求の範囲】
【請求項１】
照明器具と、前記照明器具のオン／オフ状態を制御するリモートコントローラ（以下、リモコンという）と、前記照明器具の給電を制御する壁スイッチとを備えた負荷制御システムにおいて、
前記リモコンは、前記照明器具のオン／オフ状態に係る制御信号を送信するための赤外線送信部と、
前記照明器具の給電に係る制御信号を送信するための電波送信部とを有し、
前記照明器具は、前記リモコンの赤外線送信部から送信される制御信号を受信するための赤外線受信部を有し、
前記壁スイッチは、前記リモコンの電波送信部から送信される制御信号を受信するための電波受信部を有することを特徴とする負荷制御システム。
【請求項２】
前記壁スイッチは、前記照明器具の制御に係る情報信号を送信するための電波送信部を有し、
前記リモコンは、前記壁スイッチの電波送信部から送信される情報信号を受信するための電波受信部を有することを特徴とする請求項１に記載の負荷制御システム。
【請求項３】
前記壁スイッチは、前記リモコンの電波受信部から制御信号を受信したとき、ＡＣＫ信号（ACKnowledgement frame）を前記照明器具の制御に係る情報信号として前記壁スイッチの電波送信部から送信し、
前記リモコンは、前記照明器具の給電に係る制御信号を第１の周波数の電波で前記リモコンの電波送信部から送信し、その後に前記壁スイッチの電波送信部から送信されるＡＣＫ信号を前記リモコンの電波受信部が受信しない場合、該照明器具の給電に係る制御信号を第２の周波数の電波で該リモコンの電波送信部から送信するように構成されることを特徴とする請求項２に記載の負荷制御システム。
【請求項４】
前記壁スイッチは、前記照明器具の消費電力に係る情報を記憶するメモリ部を有し、
前記メモリ部に記憶された情報の信号を前記照明器具の制御に係る情報信号として前記壁スイッチの電波送信部から送信し、
前記リモコンは、表示部を有し、
前記スイッチの電波送信部から送信されてリモコンの電波受信部が受信した前記メモリ部に記憶された情報を前記表示部で表示することを特徴とする請求項２又は請求項３に記載の負荷制御システム。
【請求項５】
前記リモコンは、１回操作されると、前記照明器具のオン／オフ状態に係る制御信号を前記リモコンの赤外線送信部から送信すると共に、前記照明器具の給電に係る制御信号を前記リモコンの電波送信部から送信するように構成されることを特徴とする請求項１乃至請求項４のいずれか一項に記載の負荷制御システム。
【請求項６】
前記照明器具は、前記壁スイッチと通信できるように構成されることを特徴とする請求項１乃至請求項５のいずれか一項に記載の負荷制御システム。
【請求項７】
前記リモコンは、タイマ部を有することを特徴とする請求項１乃至請求項６のいずれか一項に記載の負荷制御システム。
【請求項８】
前記リモコンは、前記リモコンの電波送信部を除く他の部材を有する本体と、該リモコンの電波送信部を有する別体から構成され、
前記別体は、前記本体の赤外線送信部から送信される制御信号を受信するための赤外線受信部をさらに有し、
前記リモコンの赤外線受信部が受信した制御信号を前記別体の電波送信部から送信するように構成されることを特徴とする請求項１乃至請求項７のいずれか一項に記載の負荷制御システム。
【発明の詳細な説明】
【技術分野】
【０００１】
本発明は、照明器具への電力供給を制御する負荷制御システムに関する。
【背景技術】
【０００２】
従来から、壁面に取り付けられた壁スイッチと、携帯可能なリモートコントローラ（以下、リモコンという）の両方を操作することにより、照明器具の点灯／消灯を行う負荷制御システムが知られている。壁スイッチは、押下げ操作される操作ハンドルを有し、この操作ハンドルの操作に応じて照明器具への給電路が開閉する。これにより照明器具への電流の供給又は遮断を行う。リモコンは、ユーザの操作に応じて給電状態にある照明器具に制御信号を赤外線送信し、照明器具のオン／オフ状態を切り替える。
【０００３】
この負荷制御システムは、照明器具が給電状態にない場合、リモコンで照明器具のオン／オフ状態に係る制御を行うことができない。そのため、ユーザが壁スイッチの設置された場所まで移動し、操作ハンドルの押下げ操作を行って照明器具を給電状態にしてから、リモコンで照明器具の制御を行わなければならないので、ユーザにとって不便であるという問題がある。
【０００４】
また、赤外線と電波の両方を送信するリモコンと、この赤外線及び電波によって点灯／消灯の制御が行われる複数の照明器具とを備える負荷制御システムが知られている（例えば、特許文献１、２参照）。この負荷制御システムは、１つのリモコンで複数の照明器具を一括制御することができるので、ユーザの使い勝手がよい。しかし、この負荷制御システムは、壁スイッチを備えるものではないので、上記の問題を解決することができない。
【先行技術文献】
【特許文献】
【０００５】
【特許文献１】特開２００３−２４３１８５号公報
【特許文献２】特開２００３−２７４４６５号公報
【発明の概要】
【発明が解決しようとする課題】
【０００６】
本発明は、上記問題を解決するためになされたものであり、１つのリモコンで照明器具と壁スイッチの両方を制御することができる負荷制御ユニットを提供することを目的とする。
【課題を解決するための手段】
【０００７】
上記目的を達成するために請求項１の発明は、照明器具と、前記照明器具のオン／オフ状態を制御するリモートコントローラ（以下、リモコンという）と、前記照明器具の給電を制御する壁スイッチとを備えた負荷制御システムにおいて、前記リモコンは、前記照明器具のオン／オフ状態に係る制御信号を送信するための赤外線送信部と、前記照明器具の給電に係る制御信号を送信するための電波送信部とを有し、前記照明器具は、前記リモコンの赤外線送信部から送信される制御信号を受信するための赤外線受信部を有し、前記壁スイッチは、前記リモコンの電波送信部から送信される制御信号を受信するための電波受信部を有するものである。
【０００８】
請求項２の発明は、請求項１に記載の負荷制御システムにおいて、前記壁スイッチは、前記照明器具の制御に係る情報信号を送信するための電波送信部を有し、前記リモコンは、前記壁スイッチの電波送信部から送信される情報信号を受信するための電波受信部を有するものである。
【０００９】
請求項３の発明は、請求項２に記載の負荷制御システムにおいて、前記壁スイッチは、前記リモコンの電波受信部から制御信号を受信したとき、ＡＣＫ信号（ACKnowledgement frame）を前記照明器具の制御に係る情報信号として前記壁スイッチの電波送信部から送信し、前記リモコンは、前記照明器具の給電に係る制御信号を第１の周波数の電波で前記リモコンの電波送信部から送信し、その後に前記壁スイッチの電波送信部から送信されるＡＣＫ信号を前記リモコンの電波受信部が受信しない場合、該照明器具の給電に係る制御信号を第２の周波数の電波で該リモコンの電波送信部から送信するように構成されるものである。
【００１０】
請求項４の発明は、請求項２又は請求項３に記載の負荷制御システムにおいて、前記壁スイッチは、前記照明器具の消費電力に係る情報を記憶するメモリ部を有し、前記メモリ部に記憶された情報の信号を前記照明器具の制御に係る情報信号として前記壁スイッチの電波送信部から送信し、前記リモコンは、表示部を有し、前記スイッチの電波送信部から送信されてリモコンの電波受信部が受信した前記メモリ部に記憶された情報を前記表示部で表示するものである。
【００１１】
請求項５の発明は、請求項１乃至請求項４のいずれか一項に記載の負荷制御システムにおいて、前記リモコンは、１回操作されると、前記照明器具のオン／オフ状態に係る制御信号を前記リモコンの赤外線送信部から送信すると共に、前記照明器具の給電に係る制御信号を前記リモコンの電波送信部から送信するように構成されるものである。
【００１２】
請求項６の発明は、請求項１乃至請求項５のいずれか一項に記載の負荷制御システムにおいて、前記照明器具は、前記壁スイッチと通信できるように構成されるものである。
【００１３】
請求項７の発明は、請求項１乃至請求項６のいずれか一項に記載の負荷制御システムにおいて、前記リモコンは、タイマ部を有するものである。
【００１４】
請求項８の発明は、請求項１乃至請求項７のいずれか一項に記載の負荷制御システムにおいて、前記リモコンは、前記リモコンの電波送信部を除く他の部材を有する本体と、該リモコンの電波送信部を有する別体から構成され、前記別体は、前記本体の赤外線送信部から送信される制御信号を受信するための赤外線受信部をさらに有し、前記リモコンの赤外線受信部が受信した制御信号を前記別体の電波送信部から送信するように構成されるものである。
【発明の効果】
【００１５】
請求項１の発明によれば、リモコンから送信される電波で壁スイッチを制御し、リモコンから送信される赤外線で照明器具を制御するので、ユーザが壁スイッチの設置された場所まで移動することなく、１つのリモコンで照明器具と壁スイッチの両方を制御することができる。
【００１６】
請求項２の発明によれば、壁スイッチから照明器具へ送信される制御に係る情報に基いて照明器具の制御を行うことができるので、照明器具の制御を的確に行うことができる。
【００１７】
請求項３の発明によれば、照明器具周辺のノイズによって第１の周波数の電波を照明器具の赤外線受信部が受信できない場合、リモコンが第２の周波数の電波を送信し、照明器具が制御信号を受信しやすくなるので、送信エラーを軽減させることができる。
【００１８】
請求項４の発明によれば、表示部が照明器具の消費電力に係る情報を表示するので、省エネルギーへの関心を喚起させ、必要以上の光量とならないような照明器具の調光を行うようにユーザを促すことができる。
【００１９】
請求項５の発明によれば、ユーザがリモコンを１回操作するだけで照明器具の点灯／消灯の切り替えができるので、リモコンの操作を簡単にすることができる。
【００２０】
請求項６の発明によれば、リモコンから赤外線で送信される制御信号が照明器具に受信されない場合、壁スイッチから照明器具へ制御信号を送ることができるので、照明器具の点灯／消灯の制御に係る確実性を向上させることができる。
【００２１】
請求項７の発明によれば、タイマ部に設定された時間にリモコンが照明器具と壁スイッチへ制御信号をそれぞれ送信するので、照明器具の点灯／消灯を自動で行うことができる。
【００２２】
請求項８の発明によれば、既存のリモコンを使用できるので、コストの低減を図ることができる。
【図面の簡単な説明】
【００２３】
【図１】本発明の第１の実施形態に係る負荷制御システムのブロック図。
【図２】同負荷制御システムにおける照明器具を点灯させる手順のフローチャート。
【図３】同負荷制御システムの変形例に係る負荷制御システムのブロック図。
【図４】本発明の第２の実施形態に係る負荷制御システムのブロック図。
【図５】同負荷制御システムにおける照明器具を点灯させる手順のフローチャート。
【図６】本発明の第３の実施形態に係る負荷制御システムのブロック図。
【発明を実施するための形態】
【００２４】
（第１の実施形態）
本発明の第１の実施形態に係る負荷制御システムについて、図１を参照して説明する。図１に示されるように、負荷制御システム１は、照明器具２と、照明器具２を遠隔制御するためのリモートコントローラ３（以下、リモコンという）と、照明器具２の給電の制御を行うための壁スイッチ４とを備える。照明器具２は天井や壁面に取り付けられ、壁スイッチ４は壁面に取り付けられる。リモコン３はユーザが携帯可能な構成である。
【００２５】
照明器具２は、照明負荷２１と、リモコン３から赤外線送信される制御信号を受信するための赤外線受信部２２と、赤外線受信部２２により受信された制御信号に基いて照明負荷２１を点灯制御する照明制御部２３とを有する。照明制御部２３は、マイクロプロセッサ等により構成され、商用交流電源Ｐ１（以下、電源という）から給電される。また、照明制御部２３は、赤外線受信部２２により受信される制御信号に基いてオン状態又はオフ状態となる。オン状態のとき電源Ｐ１からの電力を照明負荷２１に供給して照明負荷２１を点灯させ、オフ状態のとき電源Ｐ１からの電力を遮断して照明負荷２１を消灯させる。
【００２６】
リモコン３は、操作部３１と、照明器具２のオン／オフ状態及び調光に係る制御信号を赤外線（破線）に重畳して送信する赤外線送信部３２と、照明器具２の給電に係る制御信号を電波（一点鎖線）に重畳して送信する電波送信部３３とを有する。また、リモコン３は、ユーザの行う操作部３１の操作に基いて、リモコン３の赤外線送信部３２と電波送信部３３を制御するリモコン制御部３４とを有する。
【００２７】
操作部３１は、照明器具２のオン／オフ状態を切り替えると共に、壁スイッチ４の給電を行うか否かを切り替えるためのボタン、照明器具２の調光を調整するためのボタン等から構成される。負荷制御システム１は、操作部３１に設けられる照明器具２のオン／オフ状態を切り替えると共に、照明器具２の調光を調整するためのボタンが１回操作されると、照明器具２のオン／オフ状態に係る制御信号を赤外線送信部３２から送信すると共に、照明器具２の給電に係る制御信号をリモコン３の電波送信部３３から送信する。これら制御信号が照明器具２と壁スイッチ４にそれぞれ受信されることで、照明器具２が点灯又は消灯する。そのため、負荷制御システム１は、操作部３１を１回操作するだけで照明器具２の点灯／消灯の切り替えができるので、リモコン３の操作を簡単にすることができる。なお、操作部３１は、照明器具２のオン／オフ状態を切り替えるためのボタンと、照明器具２の調光を調整するためのボタンが別々に設けられてもよい。
【００２８】
壁スイッチ４は、電源Ｐ１から照明器具２への給電路を開閉する開閉部４１と、リモコン３の電波送信部３３から送信される制御信号を受信するための電波受信部４２と、電波受信部４２により受信された制御信号に基いて開閉部４１を開閉制御するスイッチ制御部４３とを有する。開閉部４１は、給電路が開状態のとき照明器具２へ通電し、給電路が閉状態のとき照明器具２への電流供給を遮断する。
【００２９】
次に、上記のように構成された負荷制御システム１について、消灯している照明器具２を点灯させる制御処理の手順を図２のフローチャートを参照して説明する。なお、照明器具２が消灯しているときとは、壁スイッチ４が照明器具２に給電を行っておらず、照明器具２がオフ状態のときである。
【００３０】
リモコン３の操作部３１がユーザによって操作され、照明器具２をオン状態にする指令と、壁スイッチ４が照明器具２に給電を行う指令の２つの指令がリモコン制御部３４に入力される（Ｓ１）。操作部３１から入力された指令に基いて、リモコン制御部３４は、照明器具２への給電を指示する制御信号（電波）をリモコン３の電波送信部３３から送信させる（Ｓ２）。リモコン３の電波送信部３３から送信された制御信号（電波）を壁スイッチ４の電波受信部４２が受信する（Ｓ３）。スイッチ制御部４３は、受信した制御信号（電波）に基いて開閉部４１を開状態にし、照明器具２への給電を行う（Ｓ４）。
【００３１】
次に、リモコン制御部３４は、照明器具２がオン状態となるように指示する制御信号（赤外線）を赤外線送信部３２から送信させる（Ｓ５）。照明器具２の赤外線受信部２２は、赤外線送信部３２から送信された制御信号（赤外線）を受信する（Ｓ６）。照明制御部２３は、受信した制御信号（赤外線）に基いてオン状態となり、電源Ｐ１からの電力を照明負荷２１に供給し、照明負荷２１を点灯させる（Ｓ７）。
【００３２】
照明器具２を消灯させる場合、上記と同様に操作部３１が操作され、リモコン３は、照明器具２がオフ状態となるように指示する制御信号（赤外線）と、照明器具２への給電の停止を指示する制御信号（電波）を送信する。制御信号（赤外線）を受信した照明器具２がオフ状態となり、制御信号（電波）を受信した壁スイッチ４が給電を停止することで、照明器具２は消灯する。
【００３３】
負荷制御システム１は、リモコン３から送信される電波で壁スイッチ４を制御し、リモコン３から送信される赤外線で照明器具２を制御するので、ユーザが壁スイッチ４の設置された場所まで移動することなく、１つのリモコンで照明器具２と壁スイッチ４の両方を制御することができる。そのため、負荷制御システム１は、ユーザにとって使い勝手がよい。
【００３４】
本実施形態の変形例について、図３を参照して説明する。なお、上記第１の実施形態と同じように赤外線を破線、電波を一点鎖線で表示する。この変形例に係る負荷制御システム１は、３つの照明器具２ａ、２ｂ、２ｃが設けられ、リモコン３の操作部３１が、照明器具２ａ〜２ｃ全てのオン／オフ状態を切り替えると共に、壁スイッチ４の給電を行うか否かを切り替えるためのボタンを１つ有しており、その他の構成については上記と同様である。なお、照明器具２は、４つ以上設けられてもよい。
【００３５】
負荷制御システム１は、照明器具２ａ〜２ｃ全てのオン／オフ状態を切り替えると共に、壁スイッチ４の給電を行うか否かを切り替えるための操作部３１に設けられるボタンが１回操作されると、照明器具２ａ〜２ｃ全てのオン／オフ状態に係る制御信号を赤外線送信部３２から送信すると共に、照明器具２ａ〜２ｃの給電に係る制御信号をリモコン３の電波送信部３３から送信する。これら制御信号が照明器具２ａ〜２ｃと壁スイッチ４に受信されることで、照明器具２ａ〜２ｃが点灯又は消灯する。そのため、負荷制御システム１は、操作部３１を１回操作するだけで複数の照明器具２ａ〜２ｃの点灯／消灯の切り替えができるので、リモコン３の操作を簡単にすることができる。
【００３６】
照明器具２の消灯は、上記第１の実施形態と同じ手順で行われる。なお、照明器具２の赤外線受信部２２が制御信号を受信できないために照明器具２ａ〜２ｃがオフ状態とならないときでも、壁スイッチ４の電波受信部４２が制御信号を受信して壁スイッチ４が給電を停止することで、照明器具２ａ〜２ｃは消灯する。そのため、例えば、照明器具２ａ〜２ｃが設置された部屋の外のような、照明器具２ａ〜２ｃがオフ状態となるように指示する制御信号が照明器具２ａ〜２ｃの赤外線受信部２２に届かない場所でユーザがリモコン３を操作しても、電波が赤外線よりも透過性が大きいので、制御信号が壁スイッチ４の電波受信部４２まで届くために、照明器具２ａ〜２ｃを全て消灯させることができる。そのため、負荷制御システム１はユーザにとって便利である。
【００３７】
なお、リモコン３は、照明器具２ａ〜２ｃにそれぞれ対応したものが複数設けられてもよいし、又は照明器具２ａ〜２ｃに対応するボタンが操作部３１にそれぞれ別々に設けられたものであってもよい。
【００３８】
（第２の実施形態）
図４は、本実施形態の負荷制御システム１を示す。なお、上記第１の実施形態と同じように赤外線を破線、電波を一点鎖線で表示する。負荷制御システム１は、第１の実施形態と比べ、リモコン３が電波受信部３５と、表示部３６と、タイマ部３７と、ブザー部３８とをさらに有し、壁スイッチ４が電波送信部４４と、メモリ部４５とをさらに有することが異なる。さらに、照明器具２と壁スイッチ４が信号を授受して通信するために、照明制御部２３とスイッチ制御部４３の間に通信線が設けられることが異なり、その他の同等の構成については説明を省略する。負荷制御システム１は、リモコン３から赤外線で送信される制御信号が照明器具２に受信されない場合、壁スイッチ４から照明器具２へ制御信号を送ることができるので、照明器具２の点灯／消灯の制御に係る確実性を向上させることができる。
【００３９】
リモコン３の電波受信部３５は、壁スイッチ４の電波送信部４４から送信される照明器具２の制御に係る情報信号を受信する。負荷制御システム１は、壁スイッチ４から照明器具２へ送信される制御に係る情報に基いて照明器具２の制御を行うことができるので、照明器具２の制御を的確に行うことができる。リモコン３の電波受信部３５は、壁スイッチ４の電波受信部４２がリモコン３の電波送信部３３から送信された制御信号を受信したとき、壁スイッチ４の電波送信部４４から送信されるＡＣＫ信号（ACKnowledgement frame）を照明器具２の制御に係る情報信号として受信する。そのため、リモコン３は、ＡＣＫ信号の受信の有無により、壁スイッチ４に送信した制御信号が受信されたか否かを知ることができる。
【００４０】
リモコン３は、第１の周波数の電波又は第１の周波数と異なる周波数から成る第２の周波数の電波に重畳して照明器具２の給電に係る制御信号をリモコン３の電波送信部３３から送信する。具体的には、リモコン３は、照明器具２の給電に係る制御信号を第１の周波数の電波でリモコン３の電波送信部３３から送信する。その後に壁スイッチ４の電波送信部４４から送信されるＡＣＫ信号をリモコン３の電波受信部３５が受信しない場合、照明器具２の給電に係る制御信号を第２の周波数の電波でリモコン３の電波送信部３３から送信する。負荷制御システム１は、照明器具２周辺のノイズによって第１の周波数の電波を照明器具２の赤外線受信部２２が受信できない場合、リモコン３の電波送信部３３が第２の周波数の電波を送信し、照明器具２の赤外線受信部２２が制御信号を受信しやすくなるので、送信エラーを軽減させることができる。
【００４１】
表示部３６は、壁スイッチ４の電波送信部４４から送信されてリモコン３の電波受信部３５が受信した情報を表示する。また、リモコン３は、赤外線と電波の両方を送信するので、電池寿命が既存のリモコンよりも短いことから、リモコン３の電池残量を表示する。負荷制御システム１は、表示部３６が電池残量を表示することで、ユーザがリモコン３の電池寿命のタイミングを知ることができ、電池切れに対して迅速に対応することができる。
【００４２】
タイマ部３７は、ユーザが予め設定した時間に、照明器具２の点灯／消灯の制御信号をリモコン制御部３４に送信する。リモコン制御部３４は、この制御信号を受信したとき、照明器具２のオン／オフ状態に係る制御信号を赤外線送信部３２から送信させると共に、照明器具２ａ〜２ｃの給電に係る制御信号をリモコン３の電波送信部３３から送信させる。これら制御信号が照明器具２と壁スイッチ４に受信されることで、照明器具２が自動で点灯又は消灯する。また、照明器具２の自動点灯時又は消灯時に、ブザー部３８がブザー音を鳴らし、表示部３６がパネル表示をすることで時刻通知を行ってもよい。ブザー音とパネル表示によってユーザは容易に時刻を知ることができる。
【００４３】
メモリ部４５は、照明器具２の消費電力に係る情報を記憶する。具体的には、メモリ部４５は、使用している照明器具２に係る１時間当たりの消費電力の累積値が何Ｗであるかを消費電力に係る情報として記憶する。スイッチ制御部４３は、照明器具２の制御に係る情報信号として、消費電力に係る情報信号を壁スイッチ４の電波送信部４４からリモコン３の電波受信部３５に送信する。リモコン３の電波受信部３５が消費電力に係る情報信号を受信したとき、リモコン制御部３４は、照明器具２に係る１時間当たりの消費電力の累積値を表示部３６に表示させる。負荷制御システム１は、表示部３６が照明器具２の消費電力に係る情報を表示するので、省エネルギーへの関心を喚起させ、必要以上の光量とならないような照明器具２の調光を行うようにユーザを促すことができる。なお、負荷制御装置１は、１日、１週間又は１月などといった一定期間の消費電力の累積値を表示部３６で表示してもよいし、電力の消費量の表示に替えて消費電力に係る電気料金を表示部３６で表示してもよい。
【００４４】
また、メモリ部４５は、照明器具２の点灯回数を記憶する。スイッチ制御部４３は、メモリ部４５が記憶する照明器具２の点灯回数が所定の回数、例えば、１万回を超えた場合に、照明器具２の光源の寿命が近いことに関する予告（以下、球切れ予告という）に係る情報信号を照明器具２の制御に係る情報信号として、壁スイッチ４の電波送信部４４からリモコン３の電波受信部３５に送信させる。リモコン３の電波受信部３５が球切れ予告に係る情報信号を受信したとき、リモコン制御部３４は、球切れ予告に係る情報を表示部３６に表示させる。なお、負荷制御システム１は、照明器具２の点灯回数に替えて、照明器具２の消灯回数、又は照明器具２の累積点灯時間に基いて球切れ予告を行ってもよい。
【００４５】
次に、上記のように構成された負荷制御システム１について、消灯している照明器具２を点灯させる制御処理の手順を図５のフローチャートを参照して説明する。なお、照明器具２が消灯しているときとは、壁スイッチ４が照明器具２に給電を行っておらず、照明器具２がオフ状態のときである。
【００４６】
リモコン３の操作部３１がユーザによって操作され、照明器具２をオン状態にする指令と、壁スイッチ４が照明器具２に給電を行う指令の２つの指令がリモコン制御部３４に入力される（Ｓ２１）。操作部３１から入力された指令に基いて、リモコン制御部３４は、照明器具２への給電を指示する制御信号である第１の周波数の電波をリモコン３の電波送信部３３から送信させる（Ｓ２２）。第１の周波数の電波を壁スイッチ４の電波受信部４２が受信した場合（Ｓ２３でＹＥＳ）、壁スイッチ４の電波送信部４４からＡＣＫ信号が送信され、リモコン３の電波受信部３５がＡＣＫ信号を受信する。スイッチ制御部４３は、受信した制御信号（赤外線）に基いて開閉部４１を開状態にし、照明器具２への給電を行う（Ｓ２４）。
【００４７】
次に、リモコン制御部３４は、照明器具２がオン状態となるように指示する制御信号（赤外線）をリモコン３の赤外線送信部３２から送信させる（Ｓ２５）。リモコン３の赤外線送信部３２から送信される制御信号（赤外線）を照明器具２の赤外線受信部２２が受信した場合（Ｓ２６でＹＥＳ）、照明制御部２３は、受信した制御信号（赤外線）に基いてオン状態となり、電源Ｐ１からの電力を照明負荷２１に供給し、照明負荷２１が点灯する（Ｓ２７）。
【００４８】
第１の周波数の電波を壁スイッチ４の電波受信部４２が受信しなかった場合（Ｓ２３でＮＯ）、壁スイッチ４からＡＣＫ信号が送信されず、リモコン制御部３４は、照明器具２への給電を指示する制御信号である第２の周波数の電波をリモコン３の電波送信部３３から送信させる（Ｓ２８）。第２の周波数の電波を壁スイッチ４の電波受信部４２が受信した場合（Ｓ２９でＹＥＳ）、壁スイッチ４の電波送信部４４からＡＣＫ信号が送信され、リモコン３の電波受信部３５がＡＣＫ信号を受信する。第２の周波数の電波を壁スイッチ４の電波受信部４２が受信しなかった場合（Ｓ２９でＮＯ）、リモコン３の操作部３１の操作を再度行う（Ｓ２１）。
【００４９】
リモコン３の赤外線送信部３２から送信される制御信号（赤外線）を照明器具２の赤外線受信部２２が受信しなかった場合（Ｓ２６でＮＯ）、スイッチ制御部４３から照明器具２がオン状態となるように指示する制御信号が、照明制御部２３へ送信される（Ｓ３０）。照明制御部２３がこの制御信号を受信し、照明制御部２３は、受信した制御信号に基いてオン状態となり、電源Ｐ１からの電力を照明負荷２１に供給し、照明負荷２１が点灯する（Ｓ２７）。
【００５０】
（第３の実施形態）
本実施形態の変形例について、図６を参照して説明する。なお、上記第１の実施形態と同じように赤外線を破線、電波を一点鎖線で表示する。この変形例に係る負荷制御システム１は、リモコン３が本体５１と別体５２から構成され、その他の構成については上記と同様である。
【００５１】
本体５１は、既存のリモコンであり、リモコン３の電波送信部３３を除く他の部材、すなわち、操作部３１と、赤外線送信部３２と、赤外線送信部３２を制御するリモコン制御部３４とを有する。
【００５２】
別体５２は、電波送信部３３と、本体５１の赤外線送信部３２から送信される赤外線を受信する赤外線受信部５３と、電波送信部３３を制御する別体制御部５４とを有し、本体５１に取り付けた状態で使用される。なお、別体５２は、本体５１に取り付けられていない状態で、本体５１から送信される赤外線を受信できる位置に設置されてもよい。
【００５３】
別体５２の赤外線受信部５３が、本体５１の赤外線送信部３２から送信される制御信号を受信したとき、別体制御部５４は、この制御信号に基いて照明器具２の給電に係る制御信号を電波送信部３３から送信する。負荷制御システム１は、既存のリモコンを使用できるので、コストの低減を図ることができる。
【００５４】
なお、本発明は、上記の実施形態の構成に限られず、発明の要旨を変更しない範囲で種々の変形が可能である。例えば、複数の照明器具と複数の壁スイッチが設けられ、これらが１つのリモコンで制御されていても構わない。
【符号の説明】
【００５５】
１  負荷制御システム
２  照明器具
２２  赤外線受信部
３  リモコン（リモートコントローラ）
３２  赤外線送信部
３３  電波送信部
３６  表示部
３７  タイマ部
４  壁スイッチ
４２  電波受信部
４４  電波送信部
４５  メモリ部
５１  本体
５２  別体
５３  赤外線受信部
【図１】
2011009032.tif 000003
【図２】
2011009032.tif 000004
【図３】
2011009032.tif 000005
【図４】
2011009032.tif 000006
【図５】
2011009032.tif 000007
【図６】
2011009032.tif 000008